(57)【要約】【課題】本体の前方に開口として蓋排気口を配置したアプライト型電気掃除機であって、蓋排気口が単なる開口であるため、内部の排気フィルタが常に外部から視認できる。また排気フィルタが汚れてきた場合には汚れた排気フィルタが常に外部から見えるため、不潔感があり、良好な使用感が得られない。【解決手段】蓋排気口１５の部分に内排気格子２０、外排気格子１９で構成される排気格子を内外の千鳥配置し、排気圧損かけずに排気フィルタ１６を外部から視認できなくすることで、掃除性能を維持しつつ良好な使用感を確保することが可能になる。【選択図】図２
2006326027.tif 000002
【特許請求の範囲】
【請求項１】
ファンモータを内蔵し、前面上方にモータ室排気口を形成したモータ室と、前記モータ室の上部で前記ファンモータの吸引側に位置させた集塵室およびこの集塵室の上方へ突出するハンドルを有する掃除機本体と、前記集塵室およびモータ室排気口前方を覆う蓋体と、前記掃除機本体の下方に回動軸を介して回動自在に軸支され、前記集塵室に連通する吸込口を前部下方に設けた床ノズルとを具備し、前記蓋体に掃除機本体のモータ室排気口と集塵室を仕切る隔壁を設けて、モータ室排気口の下流側に排気室を形成し、さらにこの排気室に対応して蓋体には蓋排気口を設けるとともに、その蓋排気口の内側に排気フィルタを着脱自在に取り付け、本体の前方もしくは側方へ排気する前記蓋排気口に、外排気格子と内排気格子を千鳥配置にした排気格子を設けたアプライト型電気掃除機。
【請求項２】
蓋排気口の外排気格子の内側の角を面取りした請求項１記載のアプライト型電気掃除機。
【請求項３】
蓋排気口の内排気格子の外側の角を面取りした請求項１記載のアプライト型電気掃除機。
【請求項４】
蓋排気口の外排気格子と内排気格子との通気空間を格子の両側で差をつけた請求項１記載のアプライト型電気掃除機。
【請求項５】
蓋排気口の外排気格子もしくは内排気格子の内側の角の面取り形状を両側で不均等とした請求項１〜４のいずれか１項に記載のアプライト型電気掃除機。
【請求項６】
蓋排気口の外排気格子と内排気格子の最も外側の通気空間をそれぞれ蓋排気口の中央向きより配置した請求項１〜４のいずれか１項に記載のアプライト型電気掃除機。
【請求項７】
フィルタの蓋排気口側の外排気室と、モータ室排気口側の内排気室とを排気室に具備し、蓋排気口の外排気格子および内排気格子をそれぞれの格子と略直交するリブ体でむすび、そのリブ体でフィルタを支持した請求項１記載のアプライト型電気掃除機。
【請求項８】
蓋排気口の外排気格子および内排気格子をそれぞれの格子と略直交するリブ体でむすび、そのリブ体の一部でフィルタを支持し、その他の部分はフィルタと隙間を形成した請求項１記載のアプライト型電気掃除機。
【発明の詳細な説明】
【技術分野】
【０００１】
本発明は主としてアプライト型電気掃除機に関するものである。
【背景技術】
【０００２】
従来のアプライト型電気掃除機を、図９を用いて説明する。ファンモータ４１を内蔵し、前面上方にモータ室排気口４２を形成したモータ室４３、このモータ室４３の上部でファンモータ４１の吸引側に位置させた集塵室４４およびこの集塵室４４の上方へ突出するハンドル４５を有する掃除機本体４０と、上記集塵室４４およびモータ室排気口４２前方を覆う蓋体４６と、上記掃除機本体４０の下方に回動軸４７を介して回動自在に軸支され、上記集塵室４４に連通する吸込口４８を前部下方に設けた床ノズル４９とを具備し、上記蓋体４６に掃除機本体４０のモータ室排気口４２と集塵室４４を仕切る隔壁５０を設けて、モータ室排気口４２の下流側に排気室５１を形成し、さらにこの排気室５１に対応して蓋体４６には蓋排気口５２を設けるとともに、その蓋排気口５２の内側に排気フィルタ５３を着脱自在に取り付けたアプライト型電気掃除機が一般に知られている（例えば、特許文献１参照）。
【特許文献１】実公平５−１３３４４号公報
【発明の開示】
【発明が解決しようとする課題】
【０００３】
しかしながら、上記構成では、排気室内の排気フィルタは蓋排気口を通じて外部から容易に見える構成であり、汚れた排気フィルタが外部より視認されて不快感を与えるものとなっていた。
【０００４】
また、蓋排気口に斜めのルーバなどを設けることによっては排気フィルタの視認を阻止する手段もあるが、視認を阻止するためと排気風をガイドするためには相当の幅が必要でどうしても蓋体が厚くなり、なおかつ上へ向けたルーバでは誇りやごみの侵入が、その他の方向へ向けたルーバでは掃除作業時に床面の塵埃を吹飛ばしてしまうなどの課題があった。
【０００５】
本発明は以上述べた課題を解決するもので、蓋排気口からのフィルタが見えにくくするとともに十分な開口面積を確保し、なおかつ快適な使用感と性能を両立したアプライト型電気掃除機を実現するものである。
【課題を解決するための手段】
【０００６】
上記従来の課題を解決するために本発明は、ファンモータを内蔵し、前面上方にモータ室排気口を形成したモータ室と、前記モータ室の上部で前記ファンモータの吸引側に位置させた集塵室およびこの集塵室の上方へ突出するハンドルを有する掃除機本体と、前記集塵室およびモータ室排気口前方を覆う蓋体と、前記掃除機本体の下方に回動軸を介して回動自在に軸支され、前記集塵室に連通する吸込口を前部下方に設けた床ノズルとを具備し、前記蓋体に掃除機本体のモータ室排気口と集塵室を仕切る隔壁を設けて、モータ室排気口の下流側に排気室を形成し、さらにこの排気室に対応して蓋体には蓋排気口を設けるとともに、その蓋排気口の内側に排気フィルタを着脱自在に取り付け、本体の前方もしくは側方へ排気する前記蓋排気口に、外排気格子と内排気格子を千鳥配置にした排気格子を設けたアプライト型電気掃除機とした。
【発明の効果】
【０００７】
本発明は、外観からはフィルタを見えにくくしかも圧損を低くした排気格子を備えた電気掃除機を提供することができる。
【発明を実施するための最良の形態】
【０００８】
第１の発明は、ファンモータを内蔵し、前面上方にモータ室排気口を形成したモータ室と、前記モータ室の上部で前記ファンモータの吸引側に位置させた集塵室およびこの集塵室の上方へ突出するハンドルを有する掃除機本体と、前記集塵室およびモータ室排気口前方を覆う蓋体と、前記掃除機本体の下方に回動軸を介して回動自在に軸支され、前記集塵室に連通する吸込口を前部下方に設けた床ノズルとを具備し、前記蓋体に掃除機本体のモータ室排気口と集塵室を仕切る隔壁を設けて、モータ室排気口の下流側に排気室を形成し、さらにこの排気室に対応して蓋体には蓋排気口を設けるとともに、その蓋排気口の内側に排気フィルタを着脱自在に取り付け、本体の前方もしくは側方へ排気する前記蓋排気口に、外排気格子と内排気格子を千鳥配置にした排気格子を設けたアプライト型電気掃除機としたので、外観からはフィルタを見えにくく、しかも圧損を低くした排気格子が実現され、ごみ飛ばしなどのない、より快適な使用感と性能を両立したアプライト型電気掃除機を実現することができる。
【０００９】
第２の発明は、蓋排気口の外排気格子の内側の角を面取りすることにより、格子間の空間を調整することが容易となり、排気口からの排気圧損を低減でき、排気方向を制御でき、ごみ飛ばしなどのない使用感の良いアプライト型電気掃除機を実現することができる。
【００１０】
第３の発明は、蓋排気口の内排気格子の外側の角を面取りすることにより、格子間の空間を調整するとともに排気口からの排気圧損を低減でき、排気方向を制御でき、ごみ飛ばしなどのない使用感の良いアプライト型電気掃除機を実現することができる。
【００１１】
第４の発明は、蓋排気口の外排気格子と内排気格子との通気空間を格子の両側で差をつけることにより、外排気格子より外気に排出する排気方向を制御することが可能となり、排気方向を制御でき、ごみ飛ばしなどのない使用感の良いアプライト型電気掃除機を実現することができる。
【００１２】
第５の発明は、蓋排気口の外排気格子もしくは内排気格子の内側の角の面取りの大きさや角度を両側で不均等とすることにより、外排気格子より外気に排出する排気方向を制御することが可能となり、排気方向を制御でき、ごみ飛ばしなどのない使用感の良いアプライト型電気掃除機を実現することができる。
【００１３】
第６の発明は、蓋排気口の外排気格子と内排気格子の最も外側の通気空間をそれぞれ蓋排気口の中央向きに配置することにより、蓋排気口からの排気の分散を防止し、設定した方向への排気を可能とするもので、アプライト型電気掃除機を実現することができる。
【００１４】
第７の発明は、フィルタの蓋排気口側の外排気室と、モータ室排気口側の内排気室とを排気室に具備し、蓋排気口の外排気格子および内排気格子をそれぞれの格子と略直交するリブ体でむすび、そのリブ体で排気フィルタを支持することにより、排気フィルタの変形や破損を防止したアプライト型電気掃除機を実現することができる。
【００１５】
第８の発明は、蓋排気口の外排気格子および内排気格子をそれぞれの格子と略直交するリブ体でむすび、そのリブ体の一部で排気フィルタを支持し、その他の部分は排気フィルタと隙間を形成することにより、排気フィルタの全面に渡り均質な通気を確保でき、排気フィルタの局部的な汚れを防止し、より長期間の使用を可能にするアプライト型電気掃除機を実現することができる。たアプライト型電気掃除機を実現することができる。
【００１６】
以下、本発明の実施の形態について、図面を参照しながら説明する。なお、この実施の形態によりこの発明が限定されるものではない。
【００１７】
（実施の形態１）
本発明の第１の実施の形態について、図１〜図８を用いて説明する。
【００１８】
図１は、本発明の第１の実施の形態であるアプライト型電気掃除機本体１の縦断面図である。ファンモータ２はモータ室３に内装されており、モータ室３にはファンモータ２の吸気側に望んだモータ室吸気口４、ファンモータ２の排気側に望んだモータ室排気口５が形成されている。モータ室３とモータ室吸気口４を介して連通する集塵室６は前記モータ室３の略上方に位置する。集塵室６のさらに上方には上方へ突出してハンドル７が形成されている。さて、集塵室６およびモータ室排気口５前方にはそれらを覆う蓋体８が着脱自在に配置されている。これらの集塵室６およびモータ室３の下方には回動軸９を介して回動自在に軸支された床ノズル１０があり、その略前部下方には集塵室６に連通する吸込口１１を設け、その吸込口１１内には回転ブラシ１２が設けられている。蓋体８にはモータ室排気口５と集塵室６を仕切る隔壁１３を設けて、モータ室排気口５の下流側に排気室１４を形成し、排気室１４から外気に向けて、蓋体排気口１５が形成されている。排気室１４にはモータ室排気口５から蓋体排気口１５を略分離すべく排気フィルタ１６が配置されている。排気室１４は排気フィルタ１６によりモータ室排気口５に望んだ内排気室１７と蓋体排気口１５に望んだ外排気室１８に分離される。
【００１９】
図２は排気フィルタ１６および蓋体排気口１５の詳細断面図である。蓋体排気口１５には外排気格子１９および内排気格子２０が交互に、外排気格子１９同士の空間を内排気格子２０が埋めるように設けられており、排気フィルタ１６から外排気室１８に流入した排気は内排気格子２０の間を通過した後、外排気格子１９の間を通過し、排出される。
【００２０】
また、外排気格子１９と内排気格子２０の間隔はその両端では格子の内側より始まっている。つまり上側では下向きの空間から下側では上向きの空間から始まっているため、排気はその両側にあっても外へは向かわず、必ず、中央ないし、上向きおよび下向きの気流のバランスで風向が定まるものである。
【００２１】
図３は蓋体排気口１５の拡大断面図である。蓋体排気口１５には内排気格子２０および外排気格子１９が設けられているが、内排気格子２０の外側の両角はそれぞれ面取り面２１ａ、２１ｂ、となっている。同様に外排気格子１９の内側の両角はそれぞれ面取り面２２ａ、２２ｂ、となっている。
【００２２】
以上のように構成されたアプライト型電気掃除機において、その動作を説明する。
【００２３】
操作者が運転を始めるとファンモータ２が運転し、吸込口１１内の回転ブラシ１２を回転するとともに吸引を行う。吸引された塵埃は吸引された空気とともに前記集塵室６で捕集され、ファンモータ２を介してモータ室排気口５から内排気室１７へと排気される。内排気室１７から排気フィルタ１６でさらに微塵を捕集された後、外排気室１８を経由し、内排気格子２０の間を通過した後、外排気格子１９の間を通過し、外気へと排出される。
【００２４】
ここで、蓋体排気口１５にあっては外排気格子１９の間に内排気格子２０が配置されているため、内部の排気フィルタ１６は外観に露出することなく排気性能が確保されるものである。また、内排気格子２０の外側の両角にそれぞれ面取り面２１ａ、２１ｂを、外排気格子１９の内側の両角にそれぞれ面取り面２２ａ、２２ｂを設けることにより、内排気格子２０および外排気格子１９を抜ける排気抵抗が低減し、よりスムーズな排気が実現されるものである。
【００２５】
また、図４に示すがごとく、内排気格子２０の面取り面２１ａ、および外排気格子１９の近接する面取り面２２ａのみを付けることによって、面取り面２１ａ、面取り面２２ａ間の排気量を増加する。これによって内排気格子２０の周囲を抜けた排気は外排気格子１９に入った時点で内排気格子２０の両側から合流するが、その時点で両側の流量の差によって風向が定まり上方へ向かう、結果してルーバーなどを設けなくても蓋体排気口１５からの風向を制御することが可能で、風向を略上方に向けることによって床面のごみを這いあげたり、吹き飛ばしたりしないように設定できるもので、より快適な使用感と性能を両立したアプライト型電気掃除機を実現することができるものである。
【００２６】
また、図５に示すがごとく蓋体排気口１５の内排気格子２０および外排気格子１９により形成される内排気格子２０の上通気空間２３と下通気空間２４の間隔を変えることにより、上下の通気量を変え、例えば、下通気空間２４を広く取ることにより、前例と同様に内排気格子２０の両側から合流するが、両側の流量の差によって風向が定まり上方へ向かう、下方から上方へ向かう通気量を増すと全体の排気も上方へ向けることができるもので、風向を略上方に向けることによって、床面のごみを舞い上げたり、吹き飛ばしたりしないように自在な風向設定ができるもので、より快適な使用感と性能を両立したアプライト型電気掃除機を実現することができるものである。
【００２７】
同様に図６に示すがごとく、前記内排気格子２０の外側の両角の面取り面２１ａ、２１ｂおよび、外排気格子１９の内側の両角の面取り面２２ａ、２２ｂの面取り量や角度を変えることにより、例えば、外排気格子１９の下側の面取り２２ｂを大きく取ることにより、下方から上方へ向かう通気量を増すと全体の排気も上方へ向けることができるもので、風向を略上方に向けることによって床面のごみを這いあげたり、吹き飛ばしたりしないように設定できるもので、より快適な使用感と性能を両立したアプライト型電気掃除機を実現することができるものである。
【００２８】
図７は前記内排気格子２０、外排気格子１９を上流側から見た斜視図である。内排気格子２０、外排気格子１９は略直行するリブ体２５によって連結されている。リブ体２５は外排気格子１９より排気フィルタ１６側に伸延している。リブ体２５の一部よりなる支持部２６は前記排気フィルタ１６の一部と略接触し、排気フィルタ１６に排気圧がかかった時に排気フィルタ１６を支持するものである。このリブ体２５は前記内排気格子２０、外排気格子１９の一部を連結することにより格子自体の強度を確保することができるとともに排気フィルタ１６の変形などを防止し、より長期間に渡って排気フィルタの変形や破損を防止したアプライト型電気掃除機を実現することができるものである。
【００２９】
本実施の形態で示したようにリブ体２５の排気フィルタ１６を支持する支持部２６以外の部分は排気フィルタ１６距離をとることによって外排気室１８はリブ体２５によって分断されることなく、略一体なる気室としてなるものにして、排気フィルタ１６にも略均質な排気圧が生じるため、排気フィルタ１６は一部のみが汚れるようなこともなく、より均質な補修ができるもので、フィルタ寿命もそれによって最大限確保されるものである。また、断面を示した図２にあって排気フィルタ１６のリブ体２５の支持部２６と当接する部分には排気フィルタ１６の濾材を保持するフィルタ支持部材２７が設けられており、排気フィルタ１６の斜視図である図８に示したとおり、リブ体２５の支持部２６と当接するとともに排気フィルタ１６を保持し、フィルタの変形や破損を防止し、より良好な排気性能を確保するものである。
【００３０】
なお、本実施の形態ではリブ体２５および支持部２６、フィルタ支持部材２７がひとつの場合について説明を行ったが、リブ体２５および支持部２６、フィルタ支持部材２７は複数を配置してもかまわないが、複数配置する場合にあっても、本実施の形態がそうであるように内排気格子２０、外排気格子１９の幅方向を全幅に渡って前記リブ体２５および支持部２６、フィルタ支持部材２７等間隔に分割するように設けることによって、より排気フィルタ１６にかかる排気圧を均等に分散することが可能となり、さらにフィルタの変形や破損を防止する効果が高まり、さらに良好な排気性能を確保できるものである。
【００３１】
なお、本発明の実施の形態は実施の一つの形態であり、本実施の形態が、本発明の請求の範囲を制限するものではない。
【産業上の利用可能性】
【００３２】
以上のように、本発明にかかるアプライト型電気掃除機は、蓋排気口からのフィルタが見えにくくするとともに十分な開口面積を確保し、なおかつ快適な使用感と性能を両立できるものである。
【図面の簡単な説明】
【００３３】
【図１】本発明の実施の形態１を示すアプライト型電気掃除機の縦断面図
【図２】同、実施の形態を示すアプライト型電気掃除機の排気フィルタおよび蓋体排気口の詳細断面図
【図３】同、実施の形態を示すアプライト型電気掃除機の蓋体排気口の拡大断面図
【図４】同、実施の形態を示すアプライト型電気掃除機と類似の蓋体排気口の拡大断面図
【図５】同、実施の形態を示すアプライト型電気掃除機と類似の蓋体排気口の拡大断面図
【図６】同、実施の形態を示すアプライト型電気掃除機と類似の蓋体排気口の拡大断面図
【図７】同、実施の形態を示すアプライト型電気掃除機の内排気格子、外排気格子を上流側から見た斜視図
【図８】同、実施の形態を示すアプライト型電気掃除機の排気フィルタの斜視図
【図９】従来のアプライト型電気掃除機の断面図
【符号の説明】
【００３４】
１  アプライト型電気掃除機本体
２  ファンモータ
３  モータ室
４  モータ室吸気口
５  モータ室排気口
６  集塵室
７  ハンドル
８  蓋体
９  回動軸
１０  床ノズル
１１  吸込口
１２  回転ブラシ
１３  隔壁
１４  排気室
１５  蓋体排気口
１６  排気フィルタ
１７  内排気室
１８  外排気室
１９  外排気格子
２０  内排気格子
２１ａ、２１ｂ  面取り面
２２ａ、２２ｂ  面取り面
２３  上通気空間
２４  下通気空間
２５  リブ体
２６  支持部
２７  フィルタ支持部材
【図１】
2006326027.tif 000003
【図２】
2006326027.tif 000004
【図３】
2006326027.tif 000005
【図４】
2006326027.tif 000006
【図５】
2006326027.tif 000007
【図６】
2006326027.tif 000008
【図７】
2006326027.tif 000009
【図８】
2006326027.tif 000010
【図９】
2006326027.tif 000011